(57)【要約】      （修正有）【課題】単独で自立状態を維持できる自立型の錫杖を提供する。【解決手段】上部に音響発生部１１を、中央部に杖本体部１２を、下部に脚体部１３を備えた錫杖１０であって、脚体部は、固定手段１４を介して杖本体部の下端に取り付けられている。また、固定手段は三角テーブルや四角テーブルからなる。さらに、脚体部として、複数本の固定足が、杖本体部の長手方向に対しそれぞれ角度が異なった斜め下方に延伸して、固定手段に取り付けられている。【選択図】図１
0003234478.tif 000002
【実用新案登録請求の範囲】
【請求項１】
その上部には音響発生部（１１）を、
中央部には杖本体部（１２）を、
下部には脚体部（１３）を備えた錫杖（１０）であって、
前記脚体部（１３）は、
固定手段（１４）を介して前記杖本体部（１２）の下端に取り付けられていることを特徴とする自立型の錫杖（１０）。
【請求項２】
前記固定手段（１４）が三角テーブルからなることを特徴とする請求項１に記載の自立型の錫杖（１０）。
【請求項３】
前記固定手段（１４）が四角テーブルからなることを特徴とする請求項１に記載の自立型の錫杖（１０）。
【請求項４】
前記脚体部（１３）として、複数本の固定足（１３ｃ）が、杖本体部（１２）の長手方向に対しそれぞれ角度が異なった斜め下方に延伸して、固定手段（１４）に取り付けられていることを特徴とする請求項１に記載の自立型の錫杖（１０）。
【考案の詳細な説明】
【技術分野】
【０００１】
本考案は、錫杖（しゃくじょう）に関し、特に、傾斜地においても自立の錫杖に関する。
【背景技術】
【０００２】
錫杖は、さまざまな使い方があり、宗教的な意味も多くある。
主に修行僧が持つもので、比丘十八物（びくじゅうはちもつ：修行僧が持つべき十八の道具）に数えられるほど重要な道具である。
錫杖（しゃくじょう）の上部には、金属製の輪（遊輪（ゆうかん）という）が付いており、錫杖（しゃくじょう）は杖として使うこともあるので、中央部の杖本体部は、長さは１６０ｃｍから１７０ｃｍが一般的な形態である。
３０ｃｍほどの短いものもあるが、これは手錫杖と呼ばれ、儀式用として使われている。
錫杖は山の中で修行する僧にとって、獣や虫を追い払うなど安全面からも重要なものであった。
修行僧が野山を巡業する時、毒虫などの害から逃れるため、これをゆすって音を立てながら歩いた。
錫杖を動かせば、音を立てて遊輪（ゆうかん）も動き、遊輪（ゆうかん）同士がぶつかり合い、シャンシャンと独特の音を立てることができる。
この音色が錫（すず）の音に似ていることから、錫杖という名前が付られたという説もある。
【０００３】
このような錫杖として、例えば特許文献１のような錫杖が提案されている。
特許文献１の錫杖は、複数本のリング状片を吊設して介在させて成る音響部を、棒状片の一方端縁に嵌合固定し、この棒状片を、支持杆の縦孔内へ挿入して支承し、棒状片を水平方向に正逆交互に回転させてリング状片を衝突させて錫杖本体の音響部を打ち鳴らす錫杖が記載されている。
このように構成された錫杖は、パイプ状の錫杖本体と、該錫杖本体を回転自在に支承する立設された支持杆（筒）とによりなる。
この際当該支持杆はその長さを８０〜９０ｃｍとし、直径を１０ｃｍとする円筒状の外観を具備し、その長手方向に沿って中央部に直径４ｃｍの縦孔が穿かれている。
この錫杖は、寺社の本堂内や本堂前に立設して使用されるものであり、錫杖本体を支承する支持杆は台板と連結して安定させ、移動自在に設置する場合、或いは支持杆の一部を地中に埋設固定式に設置する場合とがある。
錫杖本体は、単独で自立状態を維持することが困難であり、別途用意した支持杆の縦孔へ挿入することで立設状態に維持される。
【先行技術文献】
【特許文献】
【０００４】
【特許文献１】特開２００１−３１４２１４号公報
【考案の概要】
【考案が解決しようとする課題】
【０００５】
しかしながら、特許文献１に記載の錫杖は、単独で自立状態を維持することが困難であるがため、挿入するための縦孔を備えた支持杆を別途用意しなければならないという煩わしさがある。
本考案はかかる事情に鑑みてなされたもので、単独で自立状態を維持できる自立型の錫杖を提供することを目的とする。
【課題を解決するための手段】
【０００６】
上記課題を解決するため、本考案の自立型の錫杖は、以下の特徴を備えている。
（１）その上部には音響発生部１１を、
中央部には杖本体部１２を、
下部には脚体部１３を備えた錫杖１０であって、
前記脚体部１３は、
固定手段１４を介して前記杖本体部１２の下端に取り付けられていることを特徴とする。
（２）上記（１）の自立型の錫杖１０において、
前記固定手段１４が三角テーブルからなることを特徴とする。
（３）上記（１）の自立型の錫杖１０において、
前記固定手段１４が四角テーブルからなることを特徴とする。
（４）上記（１）の自立型の錫杖１０において、
前記脚体部１３として、複数本の固定足１３ｃが、杖本体部１２の長手方向に対しそれぞれ角度が異なった斜め下方に延伸して、固定手段１４に取り付けられていることを特徴とする。
【考案の効果】
【０００７】
本考案の自立型の錫杖は、別途支持杆を別途用意しなくても単独で自立できるので、移動する場合において持ち運びが簡易であり、種々の場面において便利に使用することができる。
【図面の簡単な説明】
【０００８】
【図１】実施形態１の三角テーブル型の自立型の錫杖の外観図である。
【図２】実施形態２の四角テーブル型の自立型の錫杖の外観図である。
【図３】実施形態３の三脚足型の自立型の錫杖の外観図である。
【図４】実施形態１の三角テーブル型の自立型の錫杖を傾斜地に設置した状態を示す外観図である。
【考案を実施するための形態】
【０００９】
以下、図面を参照しながら、本考案の実施形態の自立型の錫杖を詳細に説明する。
【００１０】
［実施形態１］
図１は実施形態１の三角テーブル型の自立型の錫杖の外観図である。
図１の外観図に示すように、実施形態１の自立型の錫杖１０は、その上部には音響発生部１１を、中央部には杖本体部１２を、下部には脚体部１３を備え、
前記脚体部１３は、固定手段１４を介して前記杖本体部１２の下端に取り付けられていることを特徴とする。
なお、杖本体部１２の下方部には、その一部に軟質材１２ａが取り付けられている。
【００１１】
＜音響発生部１１＞
錫杖１０の上部に備えられた音響発生部１１は、銅や鉄、真鍮などの金属製の、五輪塔をかたどった大きな輪形１１ａが形成されており、その輪形１１ａに、小さな輪（遊環（ゆかん）１１ｂ）が通されている構造になっている。
遊環１１ｂの数は、４、６、１２の３種類がある。
この遊環１１ｂは、輪形１１ａと接触することによって、音が出る仕組みになっている。
この接触するときに発生する音が、シャクシャク（錫々）という音色であることから錫杖の名がつけられたともいわれている。
昔は、錫杖の音で集落に修行僧が来たことを伝え、食べ物などの布施を受けたともいわれている。
なお、この接触音には、僧が山野遊行の際、禽獣や毒蛇の害から身を守る効果があり、托鉢の際に門前で来訪を知らせる意味もあるという。
【００１２】
＜杖本体部１２＞
錫杖１０の中央部には杖本体部１２が備えられており、使用者はこの部分を把持して錫杖１０を取り扱う。
実施形態１においては、杖本体部１２は、例えば１７０ｃｍ程度の長さの軽合金パイプや木材で構成されている。
なお、杖本体部１２の長さは、法会、儀礼の場で使われる梵唄（ぼんばい）作法用の短いものもある（手錫杖という）。
なお、杖本体部１２の下方部には、その一部に軟質材１２ａが取り付けられており、
軟質材１２ａの弾性変形により、地面に凹凸がある場合でも錫杖１０を自立させて設置することができる。
また、実施形態１の錫杖１０の杖本体部１２の下端には、軟質材１２ａを介して三角テーブル１４ａが設けられている。
【００１３】
＜脚体部１３＞
錫杖１０の下部には脚体部１３が備えられており、固定手段１４を介して杖本体部１２の下端に取り付けられている。
杖本体部１２や脚体部１３の固定手段１４への取り付けは、ネジ留め、接着固定など公知の方法により取り付けられている。
【００１４】
実施形態１では、脚体部１３は、固定手段１４である三角テーブル１４ａの隅部の３箇所から下方に延伸するように３本取り付けられている。
なお、脚体部１３の本数は３本に限定されるものではなく、錫杖１０を自立可能に設置することができるのであれば４本以上であってもよい。
【００１５】
＜接地部材＞
なお、脚体部１３の地面と接する部分には、接地部材として地面との接触損耗を減らすための硬質部材である石突き１３ａを接合することができる。
【００１６】
［実施形態２］
図２は、実施形態２の四角テーブル型の自立型の錫杖の外観図である。
実施形態２の自立型の錫杖は、前記固定手段１４が四角テーブル１４ｂからなることを特徴とする。
それ以外の箇所は実施形態１の自立型の錫杖と同様である。
【００１７】
図２に示すように、実施形態２の錫杖１０の杖本体部１２の下端には、
軟質材１２ａを介して四角テーブル１４ｂが設けられている。
脚体部１３は、固定手段１４である四角テーブル１４ｂの隅部の４箇所から下方に延伸するように４本取り付けられている。
なお、脚体部１３の本数は４本に限定されるものではなく、錫杖１０を自立可能に設置することができるのであれば５本以上であってもよい。
また、脚体部１３の地面と接する部分には、接地部材として地面との接触損耗を減らすための硬質部材である石突き１３ａを接合することができる。
【００１８】
［実施形態３］
図３は、実施形態３の三脚足型の自立型の錫杖の外観図である。
実施形態３の自立型の錫杖は、前記脚体部１３として、複数本の固定足１３ｃが、杖本体部１２の長手方向に対しそれぞれ角度が異なった斜め下方に延伸して、固定手段１４に取り付けられている。
この複数本の固定足１３ｃはネジや接着剤などの公知の手段を用いて固定手段１４に取り付けられている。
なお、杖本体部１２の下方部には、その一部に軟質材１２ａが取り付けられており、
軟質材１２ａの弾性変形により、地面に凹凸がある場合でも錫杖１０を自立させて設置することができる。
それ以外の箇所は実施形態１の自立型の錫杖と同様である。
【００１９】
＜錫杖の使用方法＞
次に、錫杖１０の使用方法について説明する。
図４は、実施形態１の三角テーブル型の自立型の錫杖を傾斜地に設置した状態を示す外観図である。
図４に示すように、錫杖１０は、固定手段の三角テーブル１４ａから３本の脚体部１３が下方に延伸して地面に設置されているので、移動時においても容易に自立させることができる。
【００２０】
なお、添付図面を参照しながら本考案の好適な実施形態について詳細に説明したが、本考案はかかる例に限定されない。
本考案の属する技術の分野における通常の知識を有する者であれば、実用新案登録請求の範囲に記載された技術的思想の範疇内において、これら実施形態や変形例に対して更なる修正を試みることは明らかであり、これらについても当然に本考案の技術的範囲に属するものと了解される。
【産業上の利用可能性】
【００２１】
本考案の自立型の錫杖は、支持杆を別途用意しなくとも単独で自立可能であり、移動する場合においても持ち運びが簡易であり、種々の場面において便利に使用することができるので、利用可能性が高い。
【符号の説明】
【００２２】
１０  自立型の錫杖
１１  音響発生部
１１ａ  輪形
１１ｂ  小さな輪（遊環）
１２  杖本体部
１２ａ  軟質材
１３  脚体部
１３ａ  石突き
１３ｃ  固定足
１４  固定手段
１４ａ  三角テーブル
１４ｂ  四角テーブル
【図１】
0003234478.tif 000003
【図２】
0003234478.tif 000004
【図３】
0003234478.tif 000005
【図４】
0003234478.tif 000006